(57)【要約】【課題】  生態系の維持が容易な、環境保全用のブロック体を提供する。【解決手段】  ブロック体１は、コンクリートブロック２に筒状物３が埋設されることで形成される。ここで、筒状物３の内部空間３ａが、筒状物３の端部において、コンクリートブロック２の外側に開口する。こうして、コンクリートブロック２に埋設される筒状物３により、内部空間３ａが、簡単に形成される。そして、この内部空間３ａに、生き物が進入したり、また、内部空間３ａに、土壌が進入して植物が生えたりする。【選択図】  図１
2005256377.tif 000002
【特許請求の範囲】
【請求項１】
コンクリートブロックに筒状物が埋設されてなるブロック体であって、
前記筒状物は、その筒状物の内部空間が、前記筒状物の少なくとも一つの端部において前記コンクリートブロックの外側に開口するように配設されていることを特徴とする、環境保全用のブロック体。
【請求項２】
前記内部空間は、前記筒状物の二つの端部において前記コンクリートブロックの外側に開口し、かつ、前記内部空間は、前記筒状物の前記二つの端部間において連続して形成されていることを特徴とする請求項１記載の、環境保全用のブロック体。
【請求項３】
前記内部空間は、前記筒状物の、前記内部空間が開口する端部とは反対側で、閉塞していることを特徴とする請求項１に記載の、環境保全用のブロック体。
【請求項４】
前記コンクリートブロックは、凹部を有し、
前記内部空間は、前記筒状物の一端部において、前記コンクリートブロックの外側となる前記凹部に開口していることを特徴とする請求項１ないし３のいずれか１項に記載の、環境保全用のブロック体。
【請求項５】
前記凹部は、前記コンクリートブロックの側面の全周に連通するように設けられていることを特徴とする請求項４に記載の、環境保全用のブロック体。
【請求項６】
前記コンクリートブロックは、空洞部を有し、
前記内部空間は、前記筒状物の一端部において、前記コンクリートブロックの外側に開口し、前記筒状物の他端部において、前記空洞部に開口し、かつ、前記内部空間は、前記筒状物の前記一端部および他端部間において連続して形成されていることを特徴とする、請求項１に記載の、環境保全用のブロック体。
【請求項７】
前記筒状物は、屈曲部または湾曲部を有することを特徴とする請求項１ないし６のいずれか１項に記載の、環境保全用のブロック体。
【請求項８】
前記筒状物は、その延設される方向において、内径が変化していることを特徴とする請求項１ないし７のいずれか１項に記載の、環境保全用のブロック体。
【請求項９】
前記筒状物は、互いに交差するように設けられた複数の筒部を有し、それら筒部は、前記内部空間が連通するように、その交差部分が切り欠かれていることを特徴とする請求項１ないし８のいずれか１項に記載の、環境保全用のブロック体。
【請求項１０】
前記筒状物は、第１の筒部と、複数の第２の筒部とを有し、
前記第２の筒部は、前記第１の筒部から分岐するように配設され、かつ、前記内部空間は、前記第１の筒部と前記第２の筒部とで連通していることを特徴とする請求項１ないし８のいずれか１項に記載の、環境保全用のブロック体。
【請求項１１】
前記筒状物は、束ねられてなる複数の筒材からなることを特徴とする請求項１ないし７のいずれか１項に記載の、環境保全用のブロック体。
【請求項１２】
前記筒状物は、その延設される方向のほぼ全体にテーピングが施されて束ねられてなる、複数の半割筒材からなることを特徴とする、請求項１ないし７のいずれか１項に記載の、環境保全用のブロック体。
【請求項１３】
前記筒状物は、複数設けられ、それら複数の筒状物は、大小異なる内径を有していることを特徴とする請求項１ないし７のいずれか１項に記載の、環境保全用のブロック体。
【請求項１４】
前記筒状物は、前記コンクリートブロック内の鉄筋によって支持されていることを特徴とする請求項１ないし１３のいずれか１項に記載の、環境保全用のブロック体。
【請求項１５】
前記筒状物は、植物によって形成されることを特徴とする請求項１ないし１４のいずれか１項に記載の、環境保全用のブロック体。
【請求項１６】
前記筒状物を形成する植物は、竹または葦であることを特徴とする請求項１５に記載の、環境保全用のブロック体。
【請求項１７】
前記筒状物を形成する竹または葦は、枝付きの竹または葉付きの葦であることを特徴とする請求項１６に記載の、環境保全用のブロック体。
【請求項１８】
前記筒状物は、その側面の少なくとも一部が、前記コンクリートブロックから露出していることを特徴とする請求項１５ないし１７のいずれか１項に記載の、環境保全用のブロック体。
【請求項１９】
前記筒状物の中には、木炭、カキガラ等の水質浄化材が挿入されてなることを特徴とする請求項１ないし１８のいずれか１項に記載の、環境保全用のブロック体。
【請求項２０】
前記コンクリートブロックは、少なくとも一部が、ポーラス状のコンクリートからなることを特徴とする請求項１ないし１９のいずれか１項に記載の、環境保全用のブロック体。
【請求項２１】
前記ブロック体は、護岸用または擁壁用のブロックであることを特徴とする、請求項１ないし２０のいずれか１項に記載の、環境保全用のブロック体。
【請求項２２】
前記ブロック体は、河川、海、湖あるいは沼の、水底に配置されるブロックであることを特徴とする、請求項１ないし２０のいずれか１項に記載の、環境保全用のブロック体。
【請求項２３】
請求項１ないし２１のいずれか１項に記載のブロック体の、配置構造であって、
前記ブロック体が、河川の平水位以下の部位に配置されてなることを特徴とする、ブロック体の配置構造。
【請求項２４】
請求項１ないし２２のいずれか１項に記載のブロック体の、配置構造であって、
前記ブロック体は、複数が隣接して配置され、その隣接するブロック体における前記内部空間の開口する開口部が向かい合うことを特徴とする、ブロック体の配置構造。
【発明の詳細な説明】
【技術分野】
【０００１】
この発明は、生態系に配慮した、環境保全用のブロック体、およびそのブロック体の配置構造に関するものである。
【背景技術】
【０００２】
従来、例えば、河床ブロックは、生態系に配慮するために、上面に凹凸が設けられたり、各河床ブロックの周囲に溝が設けられたりした。すなわち、これら凹凸部や溝に、土壌が留まり、また、凹凸部や溝が、魚等の水中の生き物等の棲みかとなることが期待された。
【発明の開示】
【発明が解決しようとする課題】
【０００３】
ところで、前記従来の河床ブロックにおいては、洪水等、流量が増加した場合等には、河床ブロックの凹凸部や溝に、土壌や生き物、あるいは植物等が留まることが困難となり、流される虞があった。
【０００４】
この発明は、上記した従来の欠点を解決するためになされたものであり、その目的とするところは、生態系の維持が容易な、環境保全用のブロック体、およびそのブロック体の配置構造を提供することにある。
【課題を解決するための手段】
【０００５】
この発明に係る環境保全用のブロック体、およびそのブロック体の配置構造は、前記目的を達成するために、次の構成からなる。すなわち、
請求項１に記載の発明に係る環境保全用のブロック体は、コンクリートブロックに筒状物が埋設されてなる。ここで、前記筒状物は、その筒状物の内部空間が、前記筒状物の少なくとも一つの端部において前記コンクリートブロックの外側に開口するように配設されている。こうして、コンクリートブロックに筒状物を埋設することで、コンクリートブロックの外側に開口する内部空間が、簡単に形成される。そして、この内部空間に、生き物が進入したり、土壌が進入して植物が生えたりすることが可能となり、生き物や植物の生息に適した環境が得られる。
【０００６】
また、請求項２に記載の発明に係る環境保全用のブロック体は、請求項１記載のブロック体において、前記内部空間は、前記筒状物の二つの端部において前記コンクリートブロックの外側に開口している。そして、前記内部空間は、前記筒状物の前記二つの端部間において連続して形成されている。このように、筒状物の内部空間が、両側に抜けることで、その一方が閉塞する場合に比べて、この内部空間に、生き物や土壌が進入し易くなる。
【０００７】
また、請求項３に記載の発明に係る環境保全用のブロック体は、請求項１に記載のブロック体において、前記内部空間は、前記筒状物の、前記内部空間が開口する端部とは反対側で、閉塞している。このように、筒状物の内部空間が、コンクリートブロックの外側に開口する側とは反対側が閉塞することで、両方が開口する場合に比べて、この内部空間に生き物や土壌がとどまり易くなる。
【０００８】
また、請求項４に記載の発明に係る環境保全用のブロック体は、請求項１ないし３のいずれか１項に記載のブロック体において、前記コンクリートブロックは、凹部を有する。そこで、前記内部空間は、前記筒状物の一端部において、前記コンクリートブロックの外側となる前記凹部に開口している。こうして、前記内部空間の一側が、コンクリートブロックの凹部に開口することから、前記凹部や内部空間に生き物が進入したり、土壌が進入して植物が生えたりすることが可能となり、生き物や植物の生息に一層適した環境が得られる。
【０００９】
また、請求項５に記載の発明に係る環境保全用のブロック体は、請求項４に記載のブロック体において、前記凹部は、前記コンクリートブロックの側面の全周に連通するように設けられる。こうして、この凹部により、生き物や土壌が進入する空間が増加し、生き物や植物の生息に、より一層適した環境が得られる。
【００１０】
また、請求項６に記載の発明に係る環境保全用のブロック体は、請求項１に記載のブロック体において、前記コンクリートブロックは、空洞部を有する。そこで、前記内部空間は、前記筒状物の一端部において、前記コンクリートブロックの外側に開口し、前記筒状物の他端部において、前記空洞部に開口している。そして、前記内部空間は、前記筒状物の前記一端部および他端部間において連続して形成されている。これにより、内部空間や空洞部に生き物が進入したり、土壌が進入して植物が生えたりすることが可能となり、生き物や植物の生息に一層適した環境が得られる。
【００１１】
また、請求項７に記載の発明に係る環境保全用のブロック体は、請求項１ないし６のいずれか１項に記載のブロック体において、前記筒状物は、屈曲部または湾曲部を有する。このように、筒状物が、屈曲部または湾曲部を有することで、直線状である場合に比べて、筒状物の内部空間に、生き物や土壌がとどまり易くなる。
【００１２】
また、請求項８に記載の発明に係る環境保全用のブロック体は、請求項１ないし７のいずれか１項に記載のブロック体において、前記筒状物は、その延設される方向において、内径が変化している。このように、筒状物が、内径が変化することで、内径が一定の場合に比べて、筒状物の内部空間に、生き物や土壌がとどまり易くなり、生き物や植物の生息に一層適した環境が得られる。
【００１３】
また、請求項９に記載の発明に係る環境保全用のブロック体は、請求項１ないし８のいずれか１項に記載のブロック体において、前記筒状物は、互いに交差するように設けられた複数の筒部を有する。そして、それら筒部は、前記内部空間が連通するように、その交差部分が切り欠かれている。こうして、筒部が互いに交差することで、コンクリートブロック内に、複雑な形状の内部空間が形成される。これにより、内部空間に、生き物や土壌がとどまり易くなり、生き物や植物の生息に一層適した環境が得られる。
【００１４】
また、請求項１０に記載の発明に係る環境保全用のブロック体は、請求項１ないし８のいずれか１項に記載のブロック体において、前記筒状物は、第１の筒部と、複数の第２の筒部とを有する。そこで、前記第２の筒部は、前記第１の筒部から分岐するように配設される。そして、前記内部空間は、前記第１の筒部と前記第２の筒部とで連通している。こうして、筒状物が分岐することで、コンクリートブロック内に、複雑な形状の内部空間が形成される。したがって、その内部空間に、生き物や土壌がとどまり易くなり、生き物や植物の生息に一層適した環境が得られる。
【００１５】
また、請求項１１に記載の発明に係る環境保全用のブロック体は、請求項１ないし７のいずれか１項に記載のブロック体において、前記筒状物は、束ねられてなる複数の筒材からなる。こうして、筒材が束ねられることで、コンクリートブロック内に、複雑な形状の内部空間が形成される。したがって、その内部空間に、生き物や土壌がとどまり易くなり、生き物や植物の生息に一層適した環境が得られる。
【００１６】
また、請求項１２に記載の発明に係る環境保全用のブロック体は、請求項１ないし７のいずれか１項に記載のブロック体において、前記筒状物は、その延設される方向のほぼ全体にテーピングが施されて束ねられてなる、複数の半割筒材からなる。こうして、半割筒材が束ねられることで、コンクリートブロック内に、複雑な形状の内部空間が形成される。したがって、その内部空間に、生き物や土壌がとどまり易くなり、生き物や植物の生息に一層適した環境が得られる。
【００１７】
また、請求項１３に記載の発明に係る環境保全用のブロック体は、請求項１ないし７のいずれか１項に記載のブロック体において、前記筒状物は、複数設けられ、それら複数の筒状物は、大小異なる内径を有している。これにより、コンクリートブロックに、内径の異なる大小の内部空間が形成される。したがって、これら内径の異なる大小の内部空間のそれぞれに適した、さまざまな生き物や植物が共存して生息することができる。特に、生き物においては、その成長過程において、内径の小さな内部空間から、内径の大きな内部空間に順次移動することで、長期に渡って生息することができる。
【００１８】
また、請求項１４に記載の発明に係る環境保全用のブロック体は、請求項１ないし１３のいずれか１項に記載のブロック体において、前記筒状物は、前記コンクリートブロック内の鉄筋によって支持されている。これにより、鉄筋によって支持された筒状物は、ブロック体を成形する際の型枠内で、その位置が保たれる。
【００１９】
また、請求項１５に記載の発明に係る環境保全用のブロック体は、請求項１ないし１４のいずれか１項に記載のブロック体において、前記筒状物は、植物によって形成される。こうして、筒状物が植物によって形成されることで、この植物が腐って消失すると、コンクリートブロックの内部に、筒状物の内部空間よりも大きな空間が形成される。そして、この空間に、生き物が進入したり、土壌が進入して植物が生えたりすることが可能となり、生き物や植物の生息に一層適した環境が得られる。
【００２０】
また、請求項１６に記載の発明に係る環境保全用のブロック体は、請求項１５に記載のブロック体において、前記筒状物を形成する植物は、竹または葦である。ここで、竹とか葦は、その加工や細工が容易である。したがって、この竹や葦によって、筒状物が簡単に形成される。
【００２１】
また、請求項１７に記載の発明に係る環境保全用のブロック体は、請求項１６に記載のブロック体において、前記筒状物を形成する竹または葦は、枝付きの竹または葉付きの葦である。これにより、枝付きの竹や葉付きの葦が腐って消失すると、その消失によって、コンクリートブロックの内部に形成される空間は、複雑な形状となる。したがって、その空間に、生き物や土壌がとどまり易くなり、生き物や植物の生息に、より一層適した環境が得られる。
【００２２】
また、請求項１８に記載の発明に係る環境保全用のブロック体は、請求項１５ないし１７のいずれか１項に記載のブロック体において、前記筒状物は、その側面の少なくとも一部が、前記コンクリートブロックから露出している。これにより、筒状物を形成する植物が、腐って消失したとき、コンクリートブロックの内部に形成される、筒状物の内部空間よりも大きな空間は、側方に開口することとなる。したがって、この空間の側方からも、生き物が進入したり、土壌が進入して植物が生えたりすることが可能となり、生き物や植物の生息により一層適した環境が得られる。
【００２３】
また、請求項１９に記載の発明に係る環境保全用のブロック体は、請求項１ないし１８のいずれか１項に記載のブロック体において、前記筒状物の中には、木炭、カキガラ等の水質浄化材が挿入されてなる。これにより、水質浄化材は、筒状物の内部、すなわち内部空間に保持される。したがって、このブロック体が、水につかる部位に配置されると、その内部空間の水とか、周囲の水が浄化され、生き物や植物の生息に一層適した環境が得られる。
【００２４】
また、請求項２０に記載の発明に係る環境保全用のブロック体は、請求項１ないし１９のいずれか１項に記載のブロック体において、前記コンクリートブロックは、少なくとも一部が、ポーラス状のコンクリートからなる。こうすることで、このブロック体が、水につかる部位に配置されると、水が、ポーラス状のコンクリート部分を通ったり、微生物が、このポーラス状のコンクリート部分に棲み付いたりできるので、生き物や植物の生息に一層適した環境が得られる。
【００２５】
また、請求項２１に記載の発明に係る環境保全用のブロック体は、請求項１ないし２０のいずれか１項に記載のブロック体において、前記ブロック体は、護岸用または擁壁用のブロックである。
【００２６】
また、請求項２２に記載の発明に係る環境保全用のブロック体は、請求項１ないし２０のいずれか１項に記載のブロック体において、前記ブロック体は、河川、海、湖あるいは沼の、水底に配置されるブロックである。
【００２７】
また、請求項２３に記載の発明に係るブロック体の配置構造は、請求項１ないし２１のいずれか１項に記載のブロック体の、配置構造であって、前記ブロック体が、河川の平水位以下の部位に配置されてなる。
【００２８】
また、請求項２４に記載の発明に係るブロック体の配置構造は、請求項１ないし２２のいずれか１項に記載のブロック体の、配置構造であって、前記ブロック体は、複数が隣接して配置され、その隣接するブロック体における前記内部空間の開口する開口部が向かい合っている。こうすることで、隣接するブロック体における内部空間が連通し、全体として複雑な内部空間が形成される。したがって、その内部空間に、生き物や土壌がとどまり易くなり、生き物や植物の生息に一層適した環境が得られる。
【発明の効果】
【００２９】
この発明に係る環境保全用のブロック体、およびそのブロック体の配置構造によれば、コンクリートブロックに埋設される筒状物によって、生き物や植物の生息に適した環境が得られ、生態系の維持が容易となる。
【発明を実施するための最良の形態】
【００３０】
以下、この発明に係る環境保全用のブロック体、およびそのブロック体の配置構造を実施するための最良の形態を図面に基づいて説明する。
【００３１】
図中符号１は、ブロック体である。このブロック体１は、例えば、河川、海、湖（ダム湖を含む）あるいは沼の、水底に配置されるブロック（例えば、河川に用いられる河床ブロック）である。
【００３２】
このブロック体１は、コンクリートブロック２に筒状物３が埋設されてなる。すなわち、ブロック体１の成形におけるコンクリートの打設の際に、筒状物３がインサートされ、このインサートにより、筒状物３は、コンクリートブロック２に埋設される。ここにおいて、コンクリートブロック２は、目の詰まった一般のコンクリートブロックでもよく、また、少なくとも一部が、例えば砂利を多く含んだ、ポーラス状のコンクリートからなっていてもよい。勿論、このコンクリートブロック２は、その全体がポーラス状のコンクリートからなっていてもよい。そして、コンクリートブロック２の形状は、用いられる場所に応じて、すなわち用途に応じて、種々の形状が採用される。さらに、このコンクリートブロック２は、用途に応じて、鉄筋入りであったり、無鉄筋であったりする。
【００３３】
一方、筒状物３は、例えば、植物によって形成され、特に、その植物は、竹または葦であるのが望ましい。ここで、竹とは、タケ（タケ群）とササ（ササ群）を含む概念である。そして、筒状物３は、その筒状物３の内部空間３ａが、筒状物３の少なくとも一つの端部において、コンクリートブロック２の外側に開口するように配設されている。なお、筒状物３を形成する竹の節は、必要に応じて、突き破る等により取り除かれる。
【００３４】
図１に示すブロック体１においては、複数の筒状物３、３（詳細には、大小異なる内径を有する複数の筒状物３、３）が、コンクリートブロック２に埋設されている。そして、これら筒状物３、３は、例えば針金とか紐等の連結材４を用いて互いに連結される。こうるすことで、互いに連結された筒状物３、３は、ブロック体１を成形する際の型枠内で、その位置が保たれ、打設されるコンクリートによる位置ずれを防ぐことができる。
【００３５】
また、図２に示すブロック体１においては、筒状物３、３は、コンクリートブロック２内の鉄筋５、５によって支持されている。こうるすことで、鉄筋５、５によって支持された筒状物３、３は、ブロック体１を成形する際の型枠内で、その位置が保たれ、打設されるコンクリートによって位置ずれすることがない。なお、ここにおいて、筒状物３と鉄筋５とは、針金とか紐等の連結具を用いて互いに連結されるのが望ましい。
【００３６】
これらのブロック体１によると、コンクリートブロック２に筒状物３が埋設されており、この筒状物３により、コンクリートブロック２の外側に開口する内部空間３ａが、簡単に形成される。しかも、この筒状物３の形状、サイズを、適宜選択することで、所要の形状、サイズを備えた内部空間３ａ（特に、型枠によっては不可能あるいは困難な形状、サイズを備えた内部空間３ａ）を簡単に形成することができる。そして、この内部空間３ａに、生き物が進入したり、また、この内部空間３ａに、土壌が進入して植物が生えたりすることが可能となる。したがって、この筒状物３により、生き物や植物の生息に適した環境が得られ、生態系の維持が容易となる。また、ブロック体１の成形にあたっては、筒状物３が埋設されない従来のコンクリートブロックの型枠を、そのまま、あるいは改良して用いることも可能である。
【００３７】
さらに、複数の筒状物３、３は、大小異なる内径を有しているため、コンクリートブロック２に、内径の異なる大小の内部空間３ａ、３ａが形成される。したがって、これら内径の異なる大小の内部空間３ａ、３ａのそれぞれに適した、さまざまな生き物や植物が共存して生息することができる。特に、生き物においては、その成長過程において、内径の小さな内部空間３ａから、内径の大きな内部空間３ａに順次移動することで、長期に渡って生息することができる。すなわち、魚の場合を例として挙げると、稚魚のうちは、内径の小さ内部空間３ａに棲み、成長するにつれて、内径の大きな内部空間３ａに移り棲むことができる。
【００３８】
その上、筒状物３が植物によって形成されることで、この植物が腐って消失すると、コンクリートブロック２の内部に、筒状物３の内部空間３ａよりも大きな空間が形成される。そして、この大きな空間に、生き物が進入したり、土壌が進入して植物が生えたりすることが可能となる。したがって、生き物や植物の生息に一層適した環境が得られる。特に、筒状物３を形成する植物が竹または葦であると、その竹とか葦は、加工や細工が容易であり、この竹や葦によって、筒状物３が簡単に形成される。また、筒状物３を形成する竹または葦が、枝付きの竹（枝葉付きの竹を含む）とか、葉付きの葦である場合には、この竹や葦が腐って消失すると、その消失によって、コンクリートブロック２の内部に形成される空間は、複雑な形状となる（図９参照）。したがって、その空間に、生き物や土壌がとどまり易くなり、生き物や植物の生息に、より一層適した環境が得られる。
【００３９】
ここにおいて、前記内部空間３ａは、筒状物３の一つの端部に限らず、二つの端部において、コンクリートブロック２の外側に開口していてもよい。そして、この場合には、内部空間３ａは、筒状物３の前記二つの端部間において、連続して形成されるのが望ましい。このように、筒状物３の内部空間３ａが、両側に抜けることで、その一方が閉塞する場合に比べて、この内部空間３ａに、生き物や土壌が進入し易くなる。
【００４０】
もっとも、前記とは反対に、前記内部空間３ａは、筒状物３の、内部空間３ａが開口する端部とは反対側で、閉塞していてもよい。このように、筒状物３の内部空間３ａが、コンクリートブロック２の外側に開口する側とは反対側が閉塞することで、両方が開口する場合に比べて、この内部空間３ａに生き物や土壌がとどまり易くなる。ここで、内部空間３ａの閉塞は、筒状物３を形成する竹の節を残すことで、簡単に得られる。
【００４１】
また、コンクリートブロック２においては、少なくとも一部が、ポーラス状のコンクリートからなると、このブロック体１が、水につかる部位に配置されたとき、水が、ポーラス状のコンクリート部分を通ったり、微生物が、このポーラス状のコンクリート部分に棲み付いたりできる。したがって、生き物や植物の生息により一層適した環境が得られる。
【００４２】
コンクリートブロック２の形状においては、図３ないし図５に示すように、このコンクリートブロック２は、凹部２ａを有していてもよい。そして、この場合には、前記内部空間３ａは、筒状物３の一端部において、前記コンクリートブロック２の外側となる前記凹部２ａに開口するのが望ましい。このように、内部空間３ａの一側が、コンクリートブロック２の凹部２ａに開口することから、凹部２ａや内部空間３ａに生き物が進入したり、土壌が進入して植物が生えたりすることが可能となる。したがって、生き物や植物の生息に一層適した環境が得られる。詳細には、図３においては、凹部２ａは、コンクリートブロック２の底面に設けられている。また、図４においては、コンクリートブロック２の上面が凹凸状に形成されてデコボコしている。そして、内部空間３ａは、凹凸形状の特に凹部２ａに開口している。また、図５においては、凹部２ａが、コンクリートブロック２の側面の全周に連通するように設けられている。そして、この凹部２ａにより、生き物や土壌が進入する空間が増加する。したがって、生き物や植物の生息に、より一層適した環境が得られる。
【００４３】
また、図６に示すように、コンクリートブロック２は、空洞部２ｂを有してもよい。そして、この場合には、前記内部空間３ａは、筒状物３の一端部において、前記コンクリートブロック２の外側に開口し、筒状物３の他端部において、空洞部２ｂに開口するとともに、前記内部空間３ａは、筒状物３の一端部および他端部間において連続して形成されるのが望ましい。こうすることで、内部空間３ａや空洞部２ｂに生き物が進入したり、土壌が進入して植物が生えたりすることが可能となる。したがって、生き物や植物の生息に一層適した環境が得られる。
【００４４】
筒状物３の形状においては、この筒状物３は、直線状であってもよいが、図７ないし図１０に示すように、屈曲部３ｂまたは湾曲部３ｃを有してもよい。ここで、屈曲部３ｂは、図７に示すように、例えば、両方の筒材３０１、３０１の端面を斜めに切断し、それら筒材３０１、３０１の端面を突き合わせることで得られる。湾曲部３ｃにおいては、図８に示すように、例えば、筒状物３を形成する竹を熱して曲げることで簡単に得られる。その他、図９に示すように、長めの筒状物３（詳細には、竹）を、湾曲部３ｃが形成されるように押さえ込むようにして、ブロック体１を成形する型枠内に挿入してもよい。さらに、図１０に示すように、筒状物３は、ＰＥＴボトル等のボトルとか空き缶等の、複数の筒材３０２、３０２が、屈曲部３ｂあるいは湾曲部３ｃを形成するように、連ねられて形成されてもよい。そして、このように、筒状物３が、屈曲部３ｂまたは湾曲部３ｃを有することで、直線状である場合に比べて、筒状物３の内部空間３ａに、生き物や土壌がとどまり易くなる。したがって、生き物や植物の生息に一層適した環境が得られる。
【００４５】
また、図１１ないし図１６に示すように、筒状物３は、その延設される方向において、内径が変化していてもよい。ここで、図１１においては、筒状物３は、大小異なる内径の竹３０３、３０４、３０５が、連ねられて形成されている。そして、接続部分は、ガムテープ等のテープ６によりテーピングされる。図１２においては、筒状物３は、端部に、異なる内径の竹３０６、３０７が配置され、それら竹３０６、３０７間が、例えば、竹を割って得られた複数の棒片３０８、３０８により連結されている。そして、この棒片３０８部分は、ガムテープ等のテープ６によりテーピングされる。図１３においては、筒状物３は、内径が大の竹３０９と、内径が小の竹３１１とからなる。そして、内径が大の竹３０９における内径が小の竹３１１側が、複数の棒片３１０、３１０に割られており、その先端側が、狭まるようにして内径が小の竹３１１を包んでいる。図１４においては、筒状物３は、内径が大の竹３１２と、内径が小の竹３１３と、例えばＰＥＴボトル等のボトルを切断して得られる筒３１５とからなる。そして、内径が小の竹３１３は、内径が大の竹３１２に差し込まれて止められている。また、内径が小の竹３１３における筒３１５側は、複数の棒片３１４、３１４に割られており、その先端側が、広がるようにして筒３１５を囲んでいる。そして、この棒片３１４部分は、ガムテープ等のテープ６によりテーピングされる。図１５においては、筒状物３は、大小の、ＰＥＴボトル等のボトル３１５とか空き缶３１６が、連ねられて形成されている。図１６においては、筒状物３は、ＰＥＴボトル等のボトル３１７の口３１８に、ビニールホースとかゴムホース等のホース３１９が接続されて形成されている。そして、このように、筒状物３が、内径が変化することで、内径が一定の場合に比べて、筒状物３の内部空間３ａに、生き物や土壌がとどまり易くなる。したがって、このことによっても、生き物や植物の生息に一層適した環境が得られる。
【００４６】
また、図１７および図１８に示すように、筒状物３は、互いに交差するように設けられた複数の筒部３２０、３２０を有してもよい。ここで、それら筒部３２０、３２０は、前記内部空間３ａが連通するように、その交差部分が切り欠かれている。このように、筒部３２０、３２０が互いに交差し、それら筒部３２０、３２０の内部空間３ａ、３ａが連通することで、コンクリートブロック２内に、複雑な形状の内部空間３ａが形成される。こうして、その内部空間３ａに、生き物や土壌がとどまり易くなり、生き物や植物の生息に一層適した環境が得られる。なお、図１８においては、交差部分は、ガムテープ等のテープ６によりテーピングされる。
【００４７】
また、図１９および図２０に示すように、筒状物３は、第１の筒部３２１と、複数の第２の筒部３２２、３２２とを有してもよい。ここで、第２の筒部３２２、３２２は、第１の筒部３２１から分岐するように配設され、内部空間３ａは、第１の筒部３２１と第２の筒部３２２、３２２とで連通する。このように、筒状物３が分岐することによっても、コンクリートブロック２内に、複雑な形状の内部空間３ａが形成される。したがって、その内部空間３ａに、生き物や土壌がとどまり易くなり、生き物や植物の生息に一層適した環境が得られる。なお、筒状物３は、図１９においては、竹を材料としており、また、図２０においては、ＰＥＴボトル等のボトルを材料にしている。
【００４８】
また、筒状物３は、束ねられてなる複数の筒材からなってもよい（図示省略）。こうして、筒材が束ねられることで、コンクリートブロック内に、複雑な形状の内部空間が形成される。このことから、その内部空間に、生き物や土壌がとどまり易くなり、生き物や植物の生息に一層適した環境が得られる。
【００４９】
また、筒状物３は、複数の半割筒材からなり、それら半割筒材が、その延設される方向のほぼ全体（全体を含む）にテーピングが施されて束ねられてもよい（図示省略）。こうして、半割筒材が束ねられることによっても、コンクリートブロック内に、複雑な形状の内部空間が形成される。したがって、その内部空間に、生き物や土壌がとどまり易くなり、生き物や植物の生息に一層適した環境が得られる。ここで、半割筒材は、例えば、筒状物３を形成する竹を縦に割ることで、簡単に形成される。そして、半割筒材とは、真半分に割られた筒材のみを意味するものではなく、大小の異なる大きさに割られた筒材を含むものである。なお、半割筒材を束ねるにあたって、その延設される方向のほぼ全体にテーピングが施されるのは、打設されたコンクリートが、半割筒材内に入り込むのを防ぐためである。
【００５０】
また、図２１に示すように、筒状物３は、コンクリートブロック２の表面にスリット３ｄが形成されるような構造を有してもよい。この図においては、半割状の竹３２３、３２３が、スペーサー３２４により、若干隔てられ、その隔てられた側面が、上方に開口して、前記スリット３ｄが形成される。そして、この半割状の竹３２３、３２３の下方には、内径が小の竹３２５、３２５が接続され、これら半割状の竹３２３、３２３および内径が小の竹３２５、３２５によって、筒状物３が形成されている。そして、図示を省略するが、半割状の竹３２３、３２３の下部および両端部は、ガムテープ等によりテーピングされる。
【００５１】
また、図２２に示すように、ブロック体１における筒状物３には、アルミ棒等の支持棒７が挿入されてもよい。ここで、この支持棒７には、木炭、カキガラ等の水質浄化材８が入れられた、ネット状の袋９が止められる。こうして、水質浄化材８は、支持棒７および袋９を介して、ブロック体１の外部に保持され、ブロック体１の周囲とか内部空間３ａの水が浄化される。したがって、生き物や植物の生息に一層適した環境が得られる。
【００５２】
また、筒状物３の材料は、上述のように、竹等の植物、ビニールホース等のホース３１９、ＰＥＴボトル等のボトル３１５、３１７、空き缶３１６であってもよく、また、塩化ビニル管、鉄管、水道管等の管であってもよい。すなわち、筒状物３は、筒状に形成されているものであれば、どのようなものでもよい。そして、筒状物３における、コンクリートブロック２の外側に開口する側は、そのコンクリートブロック２の表面と面一である必要はなく、飛び出していてもよく、また、奥に引っ込んでいてもよい。
【００５３】
そして、このブロック体１の配置構造１１にあっては、図２３に示すように、ブロック体１は、複数が隣接して配置され、その隣接するブロック体１、１における前記内部空間３ａ、３ａの開口する開口部３ｅ、３ｅが向かい合ってもよい。ここで、ブロック体１に開口部３ｅが複数ある場合には、その全てが向かい合う必要はなく、いずれかが向かい合っていれば良い。このように、隣接するブロック体１、１における内部空間３ａ、３ａの開口部３ｅ、３ｅが向かい合うことで、それら内部空間３ａ、３ａが連通し、全体として複雑な内部空間が形成される。したがって、その内部空間３ａ、３ａに、生き物や土壌がとどまり易くなり、生き物や植物の生息に一層適した環境が得られる。なお、ブロック体１の、複数が隣接とは、図示のように横方向に並ぶ場合の他に、縦方向に重なる場合も含むものである。
【００５４】
ところで、ブロック体１は、水底に配置されるブロックに限定されるわけではなく、河川の平水位以下の部位に配置されるブロックであってもよい。すなわち、ブロック体１の配置構造にあっては、ブロック体１が、河川の平水位以下の部位に配置されてなる配置構造であってもよい。そして、このように、ブロック体１が、水底に配置されるブロックであったり、河川の平水位以下の部位に配置されるブロックであったりする場合のように、水につかる部位に配置されるブロックである場合には、筒状物３の中に、木炭、カキガラ等の水質浄化材が挿入されてもよい。これにより、水質浄化材は、筒状物３の内部、すなわち内部空間３ａに保持され、その内部空間３ａの水とか、周囲の水が浄化される。したがって、生き物や植物の生息に一層適した環境が得られる。
【００５５】
さらに、ブロック体１は、水につかる部位に配置されるブロックに限らず、広く、護岸用とか擁壁用のブロックであってもよく、また、環境保全を目的とするものであれば、その他のブロックであってもよい。
【００５６】
なお、図２４に示すブロック体１においては、筒状物３は、その側面の少なくとも一部が、コンクリートブロック２から露出している。具体的には、筒状物３は、束ねられてなる複数の筒材（詳細には、植物としての竹３３１、３３１）からなっている。そして、筒状物３は、その側面における長手方向（軸方向）の全体が、コンクリートブロック２から露出している。これによって、筒状物３を形成する竹３３１、３３１が、腐って消失したとき、コンクリートブロック２の内部に、筒状物３の内部空間３ａよりも大きな空間２ｃが形成され、これに伴って、その空間２ｃは、側方に開口することとなる（図２５参照）。したがって、この空間２ｃの側方からも、生き物が進入したり、土壌が進入して植物が生えたりすることが可能となり、生き物や植物の生息により一層適した環境が得られる。もっとも、筒状物３を形成する竹３３１、３３１が腐る前に、その竹３３１、３３１を焼く等して除去してもよい。さらには、竹３３１、３３１の、コンクリートブロック２から露出する部分と、竹３３１、３３１の対向部分とを、バールとか金づち等の道具を用いて除去することで、筒状物３の内部空間３ａを、側方に開口させてもよい。また、筒状物３は、その両端部が、コンクリートブロック２の外側に開口してもよいが、その一方の端部のみが開口し、他方の端部は、コンクリートブロック２に埋設されていてもよい。さらに、筒状物３は、複数の竹３３１、３３１からならなくとも、一本の竹３３１からなっていてもよい。
【図面の簡単な説明】
【００５７】
【図１】この発明の実施の形態の、第１の例を示すブロック体の斜視図である。
【図２】同じく、第２の例を示すブロック体の正面図である。
【図３】同じく、第３の例を示すブロック体の断面図である。
【図４】同じく、第４の例を示すブロック体の斜視図である。
【図５】同じく、第５の例を示すブロック体の斜視図である。
【図６】同じく、第６の例を示すブロック体の断面図である。
【図７】同じく、第７の例を示す筒状物の斜視図である。
【図８】同じく、第８の例を示す筒状物の斜視図である。
【図９】同じく、第９の例を示すブロック体の斜視図である。
【図１０】同じく、第１０の例を示す筒状物の斜視図である。
【図１１】同じく、第１１の例を示す筒状物の斜視図である。
【図１２】同じく、第１２の例を示す筒状物の斜視図である。
【図１３】同じく、第１３の例を示す筒状物の正面図である。
【図１４】同じく、第１４の例を示す筒状物の正面図である。
【図１５】同じく、第１５の例を示す筒状物の斜視図である。
【図１６】同じく、第１６の例を示す筒状物の正面図である。
【図１７】同じく、第１７の例を示す筒状物の斜視図である。
【図１８】同じく、第１８の例を示す筒状物の斜視図である。
【図１９】同じく、第１９の例を示すブロック体の斜視図である。
【図２０】同じく、第２０の例を示す筒状物の斜視図である。
【図２１】同じく、第２１の例を示すブロック体の斜視図である。
【図２２】同じく、第２２の例を示すブロック体の斜視図である。
【図２３】同じく、第２３の例を示すブロック体の配置構造の断面図である。
【図２４】同じく、第２４の例を示すブロック体の斜視図である。
【図２５】同じく、第２４の例に示されるブロック体の筒状物が消失あるいは除去された状態を示す斜視図である。
【符号の説明】
【００５８】
１  ブロック体
２  コンクリートブロック
２ａ  凹部
２ｂ  空洞部
３  筒状物
３ａ  内部空間
３ｂ  屈曲部
３ｃ  湾曲部
３ｅ  開口部
１１  配置構造
３２０  筒部
３２１  第１の筒部
３２２  第２の筒部
【図１】
2005256377.tif 000003
【図２】
2005256377.tif 000004
【図３】
2005256377.tif 000005
【図４】
2005256377.tif 000006
【図５】
2005256377.tif 000007
【図６】
2005256377.tif 000008
【図７】
2005256377.tif 000009
【図８】
2005256377.tif 000010
【図９】
2005256377.tif 000011
【図１０】
2005256377.tif 000012
【図１１】
2005256377.tif 000013
【図１２】
2005256377.tif 000014
【図１３】
2005256377.tif 000015
【図１４】
2005256377.tif 000016
【図１５】
2005256377.tif 000017
【図１６】
2005256377.tif 000018
【図１７】
2005256377.tif 000019
【図１８】
2005256377.tif 000020
【図１９】
2005256377.tif 000021
【図２０】
2005256377.tif 000022
【図２１】
2005256377.tif 000023
【図２２】
2005256377.tif 000024
【図２３】
2005256377.tif 000025
【図２４】
2005256377.tif 000026
【図２５】
2005256377.tif 000027